(57)【要約】【課題】膨張機構を低開度で利用することで冷凍能力が必要とされない領域で余剰な冷凍能力が発生しないようにし、不要なヒータ出力を低減することで、装置全体として消費電力の低減を図る【解決手段】冷媒を圧縮する圧縮機と、該圧縮機で圧縮された冷媒の放熱を行う凝縮器と、該凝縮器で放熱された冷媒を減圧させる膨脹弁と、該膨脹弁で減圧した冷媒を蒸発させる蒸発器と、膨脹弁の開度を制御する制御部と、を備えた冷凍装置において、制御部は、膨脹弁の出口側冷媒温度が目標温度よりも高い場合に膨脹弁の開度を小さくするとともに、出口側冷媒温度が目標温度よりも低い場合に膨脹弁の開度を大きくし、出口側冷媒温度が目標温度よりも高い場合に膨脹弁の開度を小さくした場合において、出口側冷媒温度が高くなった場合に、膨脹弁の開度を大きくすることで出口側冷媒温度を低くする。【選択図】  図４
2014066424.tif 000002
【特許請求の範囲】
【請求項１】
冷媒を圧縮する圧縮機と、
該圧縮機で圧縮された冷媒の放熱を行う凝縮器と、
該凝縮器で放熱された冷媒を減圧させる膨脹弁と、
該膨脹弁で減圧した冷媒を蒸発させる蒸発器と、
前記膨脹弁の開度を制御する制御部と、を備えた冷凍装置において、
前記制御部は、
前記膨脹弁の出口側冷媒温度が目標温度よりも高い場合に前記膨脹弁の開度を小さくするとともに、前記出口側冷媒温度が目標温度よりも低い場合に前記膨脹弁の開度を大きくし、
前記出口側冷媒温度が目標温度よりも高い場合に前記膨脹弁の開度を小さくした場合において、前記出口側冷媒温度が高くなった場合に、前記膨脹弁の開度を大きくすることで前記出口側冷媒温度を低くすることを特徴とする冷凍装置。
【請求項２】
請求項１に記載の冷凍装置において、
前記制御部は、
前記出口側冷媒温度が目標温度よりも高い場合に前記膨脹弁の開度を小さくした場合において、前記出口側冷媒温度が高くなった場合における前記膨脹弁の開度を記憶し、
該記憶した開度よりも大きい開度を前記膨脹弁の下限開度とすることを特徴とする冷凍装置。
【請求項３】
試験条件の環境を作り出す試験室の冷却を行う冷凍装置と、
前記試験室の加熱を行う加熱装置と、
前記試験室の除湿を行う除湿装置と、
前記試験室の加湿を行う加湿装置と、
前記冷凍装置、前記加熱装置、前記除湿装置、又は前記加湿装置を制御する制御部と、を備え、
前記制御部は前記冷凍装置、前記加熱装置、前記除湿装置、又は前記加湿装置を制御することで前記試験室を目標温度又は目標湿度とする恒温恒湿装置において、
前記冷凍装置は請求項１又は２何れかに記載の冷凍装置であることを特徴とする恒温恒湿装置。
【発明の詳細な説明】
【技術分野】
【０００１】
本発明は、冷凍装置及びこれを備えた恒温恒室装置に関する。
【背景技術】
【０００２】
本技術分野の背景技術として、特許第３９７４３５８号公報（特許文献１）がある。この特許文献には、「このような冷凍能力制御のためには、従来では電子膨張弁が使用されていた。しかしながら、電子膨張弁では、冷媒流量を調整するためのニードルの加工精度に限界があるため、通常３０％程度以下では冷凍能力を制御できなかった。」と記載されている（要約参照）。
【先行技術文献】
【特許文献】
【０００３】
【特許文献１】特許第３９７４３５８号公報
【発明の概要】
【発明が解決しようとする課題】
【０００４】
蒸発温度を利用して電子膨張弁の制御を行う冷凍装置では、電子膨張弁が全閉になると、圧力に対応した蒸発温度を得ることができなくなる。従来は、電子膨張弁が全閉となる可能性を避けるために、電子膨張弁の使用可能下限開度を電子膨張弁が全閉となる開度より裕度のある開度とする必要がある。全閉付近の低開度での使用ができないため、冷凍能力を低く押さえることに限界があった。そのため余剰となる冷凍能力を打ち消すためにヒータ出力が必要となり、恒温恒湿槽の消費電力低減の障害となっていた。  
そこで本発明は、膨張機構を低開度で利用することで冷凍能力が必要とされない領域で余剰な冷凍能力が発生しないようにし、不要なヒータ出力を低減することで、装置全体として消費電力の低減を図ることを目的とする。
【課題を解決するための手段】
【０００５】
上記課題を解決するために、例えば特許請求の範囲に記載の構成を採用する。  
本願は上記課題を解決する手段を複数含んでいるが、その一例を挙げるならば、「冷媒を圧縮する圧縮機と、該圧縮機で圧縮された冷媒の放熱を行う凝縮器と、該凝縮器で放熱された冷媒を減圧させる膨脹弁と、該膨脹弁で減圧した冷媒を蒸発させる蒸発器と、前記膨脹弁の開度を制御する制御部と、を備えた冷凍装置において、前記制御部は、前記膨脹弁の出口側冷媒温度が目標温度よりも高い場合に前記膨脹弁の開度を小さくするとともに、前記出口側冷媒温度が目標温度よりも低い場合に前記膨脹弁の開度を大きくし、前記出口側冷媒温度が目標温度よりも高い場合に前記膨脹弁の開度を小さくした場合において、前記出口側冷媒温度が高くなった場合に、前記膨脹弁の開度を大きくすることで前記出口側冷媒温度を低くする」ことを特徴とする。
【発明の効果】
【０００６】
本発明によれば、膨張機構を低開度で利用することで冷凍能力が必要とされない領域で余剰な冷凍能力が発生しないようにし、不要なヒータ出力を低減することで、装置全体として消費電力の低減を図ることが可能となる。
【図面の簡単な説明】
【０００７】
【図１】環境試験用の恒温恒湿装置の構成の例である。
【図２】冷凍装置の構成図の例である。
【図３】電子膨張弁の調整をするフローチャートである。
【図４】全閉を検知するフローチャートである。
【発明を実施するための形態】
【０００８】
以下、実施例について図面を用いて説明する。
【実施例１】
【０００９】
本実施例では、環境試験用の恒温恒湿装置の例を説明する。  
図１は、環境試験用の恒温恒湿装置の機器構成の例である。試験室内に送風装置１１を備え、空気を循環させている。送風装置１１の吸込部には加湿装置１２、冷凍兼除湿装置１３、加熱装置１４が配置され、コントローラ１５により温度センサ１６と湿度センサ１７が目標とする温湿度となるよう各出力が調整される。図１は湿度制御が可能な恒温恒湿槽の例であるが、湿度制御を行わない恒温槽の場合は、加湿装置１２と湿度センサ１７が省略され、冷凍兼除湿装置１３は冷凍装置となる。
【００１０】
本実施例では温度センサ１６と湿度センサ１７には白金測温抵抗体が使用され、温度は直接計測、湿度は乾湿球方式により算出されているが、高分子式湿度センサ等を用いて湿度を直接計測してもよい。また、白金測温抵抗体に替えて熱電対やサーミスタを用いてもよい。
【００１１】
つまり、本実施例の恒温恒湿装置は、試験条件の環境を作り出す試験室の冷却を行う冷凍装置（冷凍兼除湿装置１３）と、試験室の加熱を行う加熱装置１４と、試験室の除湿を行う除湿装置（冷凍兼除湿装置１３）と、試験室の加湿を行う加湿装置１２と、冷凍装置（冷凍兼除湿装置１３）、加熱装置１４、除湿装置（冷凍兼除湿装置１３）、又は加湿装置１２を制御する制御部（コントローラ１５）と、を備え、制御部（コントローラ１５）は冷凍装置（冷凍兼除湿装置１３）、加熱装置１４、除湿装置（冷凍兼除湿装置１３）、又は加湿装置１２を制御することで試験室を目標温度又は目標湿度とするものである。
【００１２】
図２は、本実施例の恒温恒湿装置における冷凍装置（冷凍兼除湿装置１３）の構成図の例である。冷媒は、圧縮機１で圧縮され、凝縮装置２で放熱して液化する。電子膨張弁３を通過することで圧力が下がり、蒸発装置４で受熱して気化する。気化した冷媒は圧縮機１で再度圧縮される。膨張機構３は冷媒流量を可変させることを目的とした抵抗可変機構を備え、コントローラ６は温度センサ５の温度が目標とする温度に近づくよう電子膨張弁３の開度を調整する。温度センサ５が計測する温度は、蒸発装置４の圧力に対応した蒸発温度である。
【００１３】
図３はコントローラ６が電子膨張弁３の開度を調整する時のフローチャートである。温度センサ５の温度が目標とする温度より高く、かつ現在の開度が下限開度以上であれば電子膨張弁３の開度を減らし、温度センサ５の温度が目標とする温度より低ければ、電子膨張弁３の開度を増やす。
【００１４】
コントローラ６の目標とする温度が低く、電子膨張弁３の開度を下限付近で使用しなければならない場合には、抵抗が過大となり冷媒が流れなくなる可能性が生じる。冷媒が流れなくなると、温度センサ５の温度は蒸発装置４の圧力に対応した蒸発温度ではなくなるため、冷媒流量の制御が困難となる。冷媒が流れなくなることを防止するために電子膨張弁３の開度の最低値を設けるが、電子膨張弁３の個体差も考慮に入れる必要があるので、開度の最低値は裕度のある値とする必要があり、低開度領域での使用は困難であった。
【００１５】
図４は全閉検知手段を追加した電子膨張弁の制御フローチャートである。温度センサ５の温度が目標とする温度より高ければ電子膨張弁３の開度を減らすが、開度を減らした後に温度センサ５の測定温度が上昇した場合は、冷媒が流れなくなったと判断して電子膨張弁３の開度を増やす。電子膨張弁３の開度を増やした後、開度変更前後の温度センサ５の温度を再度比較し、上昇が続くようであれば更に開度を増やす。これを温度の低下が始まるまで繰り返す。ただし、電子膨張弁３の個体差を考慮しても確実に冷媒の流動が得られるとわかっている開度まで到達した場合は、それ以上の開弁動作は行わない。
【００１６】
以上のように制御部（コントローラ６）の基本的な制御は、電子膨張弁３の出口側冷媒温度が目標温度よりも高い場合に電子膨張弁３の開度を小さくするとともに、出口側冷媒温度が目標温度よりも低い場合に電子膨張弁３の開度を大きくするものである。そして出口側冷媒温度が目標温度よりも高い場合に電子膨張弁３の開度を小さくした場合において、出口側冷媒温度が高くなった場合には、電子膨張弁３が閉じたことにより冷媒が流れなくなったものと判断し、電子膨張弁３の開度を大きくすることで出口側冷媒温度を低くするものである。
【００１７】
温度センサ５の測定温度が上昇した場合は、段階を追って開度を変更せず、確実に冷媒が流れることがわかっている開度まで増加させることにしてもよい。また、温度センサ５の測定温度が上昇した膨張弁開度を記録し、これよりも少し大きい開度を下限開度として扱っても良い。温度センサ５の測定温度が上昇した膨張弁開度よりも少し大きい開度を下限開度として扱うことで、冷媒が流れない開度を繰り返し指示してしまうことを防止できる。
【００１８】
つまり、制御部（コントローラ６）は出口側冷媒温度が目標温度よりも高い場合に電子膨張弁３の開度を小さくした場合において、出口側冷媒温度が高くなった場合における電子膨張弁３の開度を記憶し、該記憶した開度よりも大きい開度を電子膨張弁３の下限開度とする。
【００１９】
この実施例により、最低開度を一律に設ける必要性がなくなり、電子膨張弁を全閉となる直前の開度まで使用することができるようになる。なお、湿度の制御機能のない恒温槽においても、同様の効果がある。
【００２０】
本発明者が確認したところによれば本実施例により、膨張機構を低開度で利用することができるのは上記した通りであるが、これにより電子膨張弁の最低冷媒流量を従来と比較して約３０％下げることができた。そして冷凍能力が必要とされない領域で余剰な冷凍能力が発生しないようにできるので、不要なヒータ出力が低減され、装置全体としても最大３０％の消費電力削減効果がある。
【符号の説明】
【００２１】
１  圧縮機
２  凝縮装置
３  電子膨張弁
４  蒸発装置
５  温度センサ
６  コントローラ
１１  送風装置
１２  加湿装置
１３  冷凍兼除湿装置
１４  加熱装置
【図１】
2014066424.tif 000003
【図２】
2014066424.tif 000004
【図３】
2014066424.tif 000005
【図４】
2014066424.tif 000006